【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
画像を撮像する撮像装置と、前記撮像装置とは別体であって前記撮像装置で撮像された画像を表示する表示装置と、による撮像方法であって、
前記撮像装置が実行する工程であり、画像を連続的に撮像し、前記表示装置に表示させるためのファインダ画像と、保存するための保存用画像とを連続的に生成する生成工程と、
前記撮像装置が実行する工程であり、前記保存用画像と、その保存用画像を指定する情報とを対応づけて連続的に記憶する記憶工程と、
前記撮像装置が実行する工程であり、前記ファインダ画像と、そのファインダ画像を指定する情報とを対応づけて連続的に前記表示装置に送信する前記撮像装置の送信工程と、
前記表示装置が実行する工程であり、ユーザから撮像が指示されたタイミングで前記表示装置に表示されていた画像を指定する情報を、前記撮像装置に送信する前記表示装置の送信工程と、
前記撮像装置が実行する工程であり、前記表示装置から送られてきた前記情報に対応する保存用画像を、撮影画像として保存する保存工程と、
を有することを特徴とする撮像方法。
【請求項２】
前記保存用画像を指定する情報又は前記ファインダ画像を指定する情報は、前記保存用画像又は前記ファインダ画像を撮影したタイミングを示すタイミングデータであることを特徴とする請求項１に記載の撮像方法。
【請求項３】
前記撮像装置の送信工程において送信する前記情報は、前記ファインダ画像の累積番号であることを特徴とする請求項１に記載の撮像方法。
【請求項４】
前記撮像装置の送信工程において送信する前記情報は、前記ファインダ画像が撮影された際のタイムスタンプであることを特徴とする請求項１に記載の撮像方法。
【請求項５】
前記記憶工程における記憶は、前記表示装置のシャッターボタンの半押し操作をトリガとして開始され、
前記表示装置の送信工程における前記情報の送信は、前記表示装置のシャッターボタンの全押し操作をトリガとして実行されることを特徴とする請求項１に記載の撮像方法。
【請求項６】
前記保存工程において、前記表示装置から送られてきた前記情報に対応する保存用画像が記憶されていない場合に、前記表示装置から送られてきた前記情報に類似する情報に対応する保存用画像を保存することを特徴とする請求項１に記載の撮像方法。
【請求項７】
前記撮像装置の送信工程における前記ファインダ画像の転送の開始から、前記撮像の指示により撮像が行われるまでの遅延時間を測定する測定工程と、
前記測定工程における遅延時間の測定の結果に基づいて、前記記憶工程における前記保存用画像の記憶する量を設定する設定工程と、
を更に有することを特徴とする請求項１に記載の撮像方法。
【請求項８】
前記撮像装置の送信工程における前記ファインダ画像の転送の開始から、前記撮像の指示により撮像が行われるまでの遅延時間を測定する測定工程と、
前記測定工程における遅延時間の測定の結果に基づいて、前記記憶工程において記憶する前記保存用画像のフレームレートを設定する設定工程と、
を更に有することを特徴とする請求項１に記載の撮像方法。
【請求項９】
画像を撮像する撮像装置と、前記撮像装置とは別体であって、該撮像装置で撮像された画像を表示する表示装置と、を有する撮像システムであって、
前記撮像装置は、
画像を連続的に撮像し、前記表示装置に表示させるためのファインダ画像と、保存するための保存用画像とを連続的に生成する生成手段と、
前記保存用画像と、その保存用画像を指定する情報とを対応づけて連続的に記憶する記憶手段と、
前記ファインダ画像と、そのファインダ画像を指定する情報とを対応づけて連続的に前記表示装置に送信する前記撮像装置の送信手段と、
前記表示装置から送られてきた、ファインダ画像を指定する情報に対応する保存用画像を、撮影画像として保存する保存手段と、を有し、
前記表示装置は、
ユーザから撮像が指示されたタイミングで前記表示装置に表示されていた画像を指定する情報を、前記撮像装置に送信する前記表示装置の送信手段を有することを特徴とする撮像システム。
【請求項１０】
撮像装置であって、
画像を連続的に撮像し、前記撮像装置とは別体の前記表示装置に表示させるためのファインダ画像と、保存するための保存用画像とを連続的に生成する生成手段と、
前記保存用画像と、その保存用画像を指定する情報とを対応づけて連続的に記憶する記憶手段と、
前記ファインダ画像と、そのファインダ画像を指定する情報とを対応づけて連続的に前記表示装置に送信する送信手段と、
前記表示装置においてユーザが撮像を指示したタイミングに前記表示装置に表示されていた画像を指定する情報を受信する受信手段と、
前記受信手段により受信した前記情報に対応する保存用画像を、撮影画像として保存する保存手段と、
を有することを特徴とする撮像装置。
【手続補正２】
【補正対象書類名】明細書
【補正対象項目名】００１１
【補正方法】変更
【補正の内容】
【００１１】
上述の１以上の問題点を解決するために本発明の撮像方法は以下の構成を備える。すなわち、画像を撮像する撮像装置と、前記撮像装置とは別体であって前記撮像装置で撮像された画像を表示する表示装置と、による撮像方法において、前記撮像装置が実行する工程であり、画像を連続的に撮像し、前記表示装置に表示させるためのファインダ画像と、保存するための保存用画像とを連続的に生成する生成工程と、前記撮像装置が実行する工程であり、前記保存用画像と、その保存用画像を指定する情報とを対応づけて連続的に記憶する記憶工程と、前記撮像装置が実行する工程であり、前記ファインダ画像と、そのファインダ画像を指定する情報とを対応づけて連続的に前記表示装置に送信する前記撮像装置の送信工程と、前記表示装置が実行する工程であり、ユーザから撮像が指示されたタイミングで前記表示装置に表示されていた画像を指定する情報を、前記撮像装置に送信する前記表示装置の送信工程と、前記撮像装置が実行する工程であり、前記表示装置から送られてきた前記情報に対応する保存用画像を、撮影画像として保存する保存工程と、を有する。
【手続補正３】
【補正対象書類名】明細書
【補正対象項目名】００１２
【補正方法】変更
【補正の内容】
【００１２】
上述の１以上の問題点を解決するために本発明の撮像システムは以下の構成を備える。すなわち、画像を撮像する撮像装置と、前記撮像装置とは別体であって、該撮像装置で撮像された画像を表示する表示装置と、を有する撮像システムにおいて、前記撮像装置は、画像を連続的に撮像し、前記表示装置に表示させるためのファインダ画像と、保存するための保存用画像とを連続的に生成する生成手段と、前記保存用画像と、その保存用画像を指定する情報とを対応づけて連続的に記憶する記憶手段と、前記ファインダ画像と、そのファインダ画像を指定する情報とを対応づけて連続的に前記表示装置に送信する前記撮像装置の送信手段と、前記表示装置から送られてきた、ファインダ画像を指定する情報に対応する保存用画像を、撮影画像として保存する保存手段と、を有し、前記表示装置は、ユーザから撮像が指示されたタイミングで前記表示装置に表示されていた画像を指定する情報を、前記撮像装置に送信する前記表示装置の送信手段を有する。
【手続補正４】
【補正対象書類名】明細書
【補正対象項目名】００１３
【補正方法】変更
【補正の内容】
【００１３】
上述の１以上の問題点を解決するために本発明の撮像装置は以下の構成を備える。すなわち、撮像装置において、画像を連続的に撮像し、前記撮像装置とは別体の前記表示装置に表示させるためのファインダ画像と、保存するための保存用画像とを連続的に生成する生成手段と、前記保存用画像と、その保存用画像を指定する情報とを対応づけて連続的に記憶する記憶手段と、前記ファインダ画像と、そのファインダ画像を指定する情報とを対応づけて連続的に前記表示装置に送信する送信手段と、前記表示装置においてユーザが撮像を指示したタイミングに前記表示装置に表示されていた画像を指定する情報を受信する受信手段と、前記受信手段により受信した前記情報に対応する保存用画像を、撮影画像として保存する保存手段と、を有する。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】